(57)【要約】      （修正有）【課題】ノベルティやＳＰツールとして顧客に提供された際、情報付与領域部をクリアファイルから切り離すだけで、情報付与領域部をその情報に応じて利用することができ、情報付与領域部が切り離されたクリアファイルは本来のクリアファイルとして使用することができるクリアファイルを提供する。【解決手段】クリアファイル１０は、表シート２０にミシン目５０にて区画されるとともにイベントに関する情報が付与された情報付与領域部６０が設けられる。ミシン目５０にて情報付与領域部６０が切断された際に、表シート２０に凹部７０が形成される。【選択図】図１
0003133903.tif 000002
【実用新案登録請求の範囲】
【請求項１】
一対のシートが重ね合わされて連結され、一辺又は互いに隣接する二辺が開口するように設けられたクリアファイルにおいて、
切断容易部にて区画されるとともに情報が付与された情報付与領域部が少なくとも１つ設けられ、
前記切断容易部にて前記情報付与領域部が切断された際に、前記少なくともいずれか一方のシートに凹部、切り欠き部又は透孔が形成されることを特徴とするクリアファイル。
【請求項２】
前記情報付与領域部に付与された情報が、二次元コードを含むことを特徴とする請求項１に記載のクリアファイル。
【請求項３】
前記情報付与領域部の情報が付与されている面には、ニスコーティングによるエンボス加工が施されていることを特徴とする請求項１又は請求項２に記載のクリアファイル。
【請求項４】
前記情報には、分離された情報付与領域部が引換券として使用できる旨の情報を含むことを特徴とする請求項１乃至請求項３のうちいずれか１項に記載のクリアファイル。
【請求項５】
引換券が、クーポン券の引換券であることを特徴とする請求項４に記載のクリアファイル。
【請求項６】
引換券が、割引券の引換券であることを特徴とする請求項４に記載のクリアファイル。
【請求項７】
引換券が、整理券の引換券であることを特徴とする請求項４に記載のクリアファイル。
【請求項８】
引換券が、粗品の引換券であることを特徴とする請求項４に記載のクリアファイル。
【請求項９】
前記切断容易部が、ミシン目であることを特徴とする請求項１乃至請求項８のうちいずれか１項に記載のクリアファイル。
【請求項１０】
切断容易部が、隣接する領域のシートの厚みよりも薄く形成された部位からなることを特徴とする請求項１乃至請求項８のうちいずれか１項に記載のクリアファイル。
【考案の詳細な説明】
【技術分野】
【０００１】
本考案は、クリアファイルに関する。
【背景技術】
【０００２】
従来から、表シートと裏シートとが重ね合わされて一体に連結されたクリアファイルは、クリアホルダともいい、ノベルティやＳＰ（セールスプロモーション）ツールとして良く使用されている。クリアファイルをノベルティやＳＰツールとして顧客に提供する場合、クリアファイルの表シートや裏シートに対して販売される商品のＰＲのためのキャラクタや、或いはオリジナルデザイン等が施されることにより、クリアファイルが、イベント会場の集客を促進するとともに、消費者のイベント会場への関心をかき立てるものにされている。
【０００３】
又、このようなクリアファイルとともに、さらに、イベント会場の集客を促進するために、イベント会場に関する情報、例えばイベント会場の所在地、イベント会場へのアクセス方法が載ったチラシを合わせて渡すことも行われている。又、イベント会場で渡す粗品の引換券や、イベントに参加、或いは観覧するための入場整理券や、クーポン券、或いはイベント会場での販売品の割引券（以下、これらを単にチケットという）を手渡すことも行われている。
【考案の開示】
【考案が解決しようとする課題】
【０００４】
しかし、従来は、イベント会場へ顧客に来て頂くために、クリアファイル以外に、イベント会場に関する情報等の各種情報が付与されたチラシや、或いはチケットの作成が必要であるため、コストや手渡しの手間がかかる問題がある。
【０００５】
本考案の目的は、ノベルティやＳＰツールとして顧客に提供された際、情報付与領域部をクリアファイルから切り離すだけで、情報付与領域部をその情報に応じて利用することができ、情報付与領域部が切り離されたクリアファイルは本来のクリアファイルとして使用することができるクリアファイルを提供することにある。
【０００６】
又、本考案の目的は、クリアファイルの情報付与領域部に情報が付与されているため、その情報のためのチラシや、チケットを新たに作成することが必要でなくなるため、チラシや、チケットの作成コストや、チラシや、チケットの手渡しの手間を省くことができるクリアファイルを提供することにある。
【課題を解決するための手段】
【０００７】
上記問題点を解決するために請求項１の考案は、一対のシートが重ね合わされて連結され、一辺又は互いに隣接する二辺が開口するように設けられたクリアファイルにおいて、切断容易部にて区画されるとともに情報が付与された情報付与領域部が少なくとも１つ設けられ、前記切断容易部にて前記情報付与領域部が切断された際に、前記少なくともいずれか一方のシートに凹部、切り欠き部又は透孔が形成されることを特徴とするクリアファイルを要旨とするものである。
【０００８】
請求項１のクリアファイルは、切断容易部にて情報付与領域部が切断されると、少なくともいずか一方のシートに凹部、切欠き部又は透孔（以下、凹部等という）を形成することができる。この凹部等からは、クリアファイル内に挟み込まれた書類を露出させることができるため、この書類の露出された部分を指等により操作すれば容易にクリアファイルから出すことができる。すなわち、情報付与領域部を分離した状態であっても、クリアファイルの書類を差し込み保存するという本来の用途を損なうことがない。
【０００９】
請求項２は、請求項１において、前記情報付与領域部に付与された情報が、二次元コードを含むことを特徴とする。
請求項３の考案は、請求項１又は請求項２において、前記情報付与領域部の情報が付与されている面には、ニスコーティングによるエンボス加工が施されていることを特徴とする。
【００１０】
請求項４の考案は、請求項１乃至請求項３のうちいずれか１項において、前記情報には、分離された情報付与領域部が引換券として使用できる旨の情報を含むことを特徴とする。
【００１１】
請求項５の考案は、請求項４において、引換券が、クーポン券の引換券であることを特徴とする。
請求項６の考案は、請求項４において、引換券が、割引券の引換券であることを特徴とする。
【００１２】
請求項７の考案は、請求項４において、引換券が、整理券の引換券であることを特徴とする。
請求項８の考案は、請求項４において、引換券が、粗品の引換券であることを特徴とする。
【００１３】
請求項９の考案は、請求項１乃至請求項８のうちいずれか１項において、前記切断容易部が、ミシン目であることを特徴とする。
請求項１０の考案は、請求項１乃至請求項８のうちいずれか１項において、切断容易部が、隣接する領域のシートの厚みよりも薄く形成された部位からなることを特徴とする。
【考案の効果】
【００１４】
請求項１の考案によれば、ノベルティやＳＰツールとして顧客に提供された際、情報付与領域部をクリアファイルから切り離すだけで、情報付与領域部（以下、分離された情報付与領域部をパーツという）をその情報に応じて利用することができ、情報付与領域部が切り離されたクリアファイルは本来のクリアファイルとして使用することができる。
【００１５】
すなわち、情報付与領域部を切り離すと、シートに凹部等が形成されるが、凹部等からは、クリアファイル内に挟み込まれた書類を露出させることができるため、この書類の露出された部分を指等により操作すれば容易にクリアファイルから出すことができる。
【００１６】
又、請求項１の考案によれば、クリアファイルの情報付与領域部に情報が付与されているため、その情報のためのチラシや、チケットを新たに作成することが必要でなくなるため、チラシや、チケットの作成コストや、チラシや、チケットの手渡しの手間を省くことができる。
【００１７】
又、パーツは、クリアファイルとは独立して持ち運びできるため、クリアファイル本体とは分離した状態で、この情報に応じたパーツの利用ができる。又、パーツは、クリアファイルよりも面積が小さいため、携帯が容易であり、持ち運びに便利である。
【００１８】
又、パーツ自体は、コピー機では複製できないため、情報の偽造を困難にすることができ、パーツを含む情報の偽造防止に役立てることができる。
請求項２の考案によれば、二次元コードで付与された情報は、例えば、二次元コードを読み取り可能な携帯電話機で読み取りすることにより、その情報を利用することができる。
【００１９】
請求項３の考案によれば、情報付与領域部の情報が付与されている面にはエンボス加工が施されているため、さらに、パーツを含む情報の偽造防止に役立てることができる。
請求項４にの考案によれば、パーツには、引換券として利用できる旨の情報が付与されているため、この情報により、パーツを引換券として利用することができる。すなわち、たとえば、このクリアファイルをノベルティや、ＳＰツールとして使用された際に、このクリアファイルを手にした人は、パーツを引換券として利用することができる。
【００２０】
請求項５の考案によれば、パーツには、クーポン券の引換券として利用できる旨の情報が付与されているため、この情報により、パーツをクーポン券の引換券として利用することができる。
【００２１】
請求項６の考案によれば、パーツには、割引券の引換券として利用できる旨の情報が付与されているため、この情報により、パーツを割引券の引換券として利用することができる。
【００２２】
請求項７の考案によれば、パーツには、整理券の引換券として利用できる旨の情報が付与されているため、この情報により、パーツを整理券の引換券として利用することができる。
【００２３】
請求項８の考案によれば、パーツには、粗品の引換券として利用できる旨の情報が付与されているため、この情報により、パーツを粗品の引換券として利用することができる。
請求項９の考案は、ミシン目により、パーツをクリアファイルから容易に分離することができる。
【００２４】
請求項１０の考案によれば、シートの厚みよりも薄く形成された部位により、パーツをクリアファイルから容易に分離することができる。
【考案を実施するための最良の形態】
【００２５】
本考案を、具体化した一実施形態を図１を参照して説明する。
図１（ａ）、（ｂ）に示すようにクリアファイル１０は、四角形をなす表シート２０と裏シート３０とを備え、表シート２０と裏シート３０の背側の辺ａにおいて、互いに一体に連結されて重ね合わされており、下部において、互いに溶着されている。クリアファイル１０は、腹側、及び上部、即ち、互いに隣接する２辺が開放されているため、腹側、又は上部から用紙を挿入して挟み込むことが可能である。クリアファイル１０は、樹脂シートＰからなり、例えば、無色透明なポリプロピレンからなる。クリアファイル１０の樹脂シートＰの材質は、ポリプロビレンに限定するものではなく、他の合成樹脂であってもよい。又、透明性は、無色である必要はなく、有色であってもよく、又、半透明であってもよい。
【００２６】
又、樹脂シートＰの表裏両面は、平滑で光沢性を有している。本実施形態のクリアファイル１０の大きさは、Ａ４の書類を収納する大きさとしているが、大きさは限定されるものではなく、Ａ５，Ａ６，Ｂ５等の他の大きさにしてもよい。表シート２０表面の略中央の領域１００には、ＵＶインキにより図示しない画像が印刷されている。画像は、例えば、イベント会場であつかう商品の画像や、オリジナルデザイン等である。なお、画像の内容は、これらの例に限定されるものではない。
【００２７】
表シート２０の腹側の辺ｂ上部には、半円形状の突片４０が外側に向かって突出形成されているとともに内部に向かって突片４０の半径と同半径をなす半円形状のミシン目５０が形成されている。ミシン目５０と突片４０の外形形状で区画される領域により情報付与領域部６０が構成されている。情報付与領域部６０には、二次元コードとしてのＱＲコード６２が印刷されている。
【００２８】
ＱＲコードはマトリクス式子シンボル体系であって、正方形パターンに配置される正方形のモジュール列から構成されている。
ＱＲコードは、漢字で約２０００文字、数字で約７０００文字の情報量を持つ。本実施形態では、情報として、イベントに関連した情報が含まれている。イベントに関連した情報は、例えば、イベント会場、イベントの開催時期（日時を含む）、イベント会場へのアクセス手段、当該イベントに関するＷｅｂ上におけるコンテンツのアクセス情報を含む。ＱＲコードは、例えば、携帯電話機のデジタル写真撮像機能を利用して撮像されて該ＱＲコードが解釈され、ＱＲコードが意味している内容を同携帯電話機の表紙部にて見ることが可能である。又、前記携帯電話機を利用して、該ＱＲコードを読込みして、アクセス情報に基づいてＷｅｂのコンテンツにアクセス可能である。Ｗｅｂ側では、アクセスされると、該イベント会場の地図等を提示することが可能となっている。
【００２９】
なお、二次元コードには、国際規格としてＱＲコード以外に、スタック型のＰＤＦ４１７、Code  16K，Code  49，Maxi  Code，Data  Matrix等もあり、ＱＲコードの代わりにこれらを利用してもよい。
【００３０】
又、本実施形態では、情報付与領域部６０には、さらに、ＱＲコード以外に、この情報付与領域部６０が粗品の引換券である旨が印刷されている。
ミシン目５０は切断容易部に相当する。なお、切断容易部はミシン目５０の代わりに情報付与領域部６０を区画する部分のシートの厚みを、情報付与領域部６０に隣接するシートの厚みよりも薄くして、情報付与領域部６０をクリアファイル１０から分離可能にしてもよい。このシートの厚みを、情報付与領域部６０に隣接するシートの厚みよりも薄くした部位（すなわち、情報付与領域部６０を区画する部分）が、この場合には切断容易部に相当する。
【００３１】
又、本実施形態では、情報付与領域部６０において、印刷された領域の上に、下地ニスであるＯＰＵＶニスとＵＶクリアニスとが重層して塗布されており、ＯＰＵＶニスとＵＶクリアニスとが重なった部分で、前記ＵＶクリアニスにエンボス状の凹凸が形成されている。このように、本実施形態では、情報付与領域部６０において、印刷された領域にはニスコーティングによるエンボス加工が施されている。
【００３２】
このクリアファイル１０は、情報付与領域部６０をミシン目５０の部分で分離すると、図１（ｂ）に示すように表シート２０の辺ｂ上部に凹部７０が形成される。この凹部７０は、クリアファイル１０の表シート２０，裏シート３０間に挟み込まれた書類が露出する。このため、この書類が露出した書類の部分を指で操作すれば、書類をクリアファイル１０から出すことができる。
【００３３】
又、分離された円形の情報付与領域部６０（パーツＡ）は、粗品の引換券としてイベント会場で使用することができる。又、パーツＡには、ＱＲコードが付与されているため、図示しない携帯電話機のデジタル写真撮像機能を利用して、撮像することにより、該携帯電話機の表示部でＱＲコードの内容を確認することができ、又、アクセス情報に基づいてＷｅｂのコンテンツにアクセスし、イベント会場の地図を見ることができる。
【００３４】
さて、本実施形態では、下記の特徴がある。
（１）  本実施形態のクリアファイル１０は、表シート２０にミシン目５０（切断容易部）にて区画されるとともにイベントに関する情報が付与された情報付与領域部６０が設けられている。そして、ミシン目５０にて情報付与領域部６０が切断された際に、表シート２０に凹部７０が形成される。
【００３５】
この結果、クリアファイル１０は、ミシン目５０にて情報付与領域部６０が切断されると、表シート２０に凹部７０を形成することができる。この凹部７０からは、クリアファイル１０内に挟み込まれた書類を露出させることができるため、この書類の露出された部分を指等により操作すれば容易にクリアファイル１０から出すことができる。すなわち、情報付与領域部６０を分離した状態であっても、クリアファイル１０の書類を差し込み保存するという本来の用途を損なうことがない。
【００３６】
又、クリアファイル１０をノベルティやＳＰツールとして顧客に提供された際、情報付与領域部６０をクリアファイル１０から切り離すだけで、情報付与領域部６０（パーツＡ）をその情報に応じて利用することができ、情報付与領域部６０が切り離されたクリアファイル１０は本来のクリアファイルとして使用することができる。
【００３７】
又、本実施形態のクリアファイル１０は、情報付与領域部６０にイベントに関する情報が付与されているため、その情報のためのチラシや、チケットを新たに作成することが必要でなくなるため、チラシや、チケットの作成コストや、チラシや、チケットの手渡しの手間を省くことができる。
【００３８】
又、パーツＡは、クリアファイル１０とは独立して持ち運びできるため、クリアファイルとは分離した状態で、この情報に応じたパーツＡの利用ができる。又、パーツＡは、クリアファイル１０よりも面積が小さいため、携帯が容易であり、持ち運びに便利である。
【００３９】
又、パーツＡ自体は、コピー機では複製できないため、情報の偽造を困難にすることができ、パーツＡを含む情報の偽造防止に役立てることができる。
（２）  又、本実施形態では、情報付与領域部６０に付与された情報が、二次元コードを含む。この結果、例えば、二次元コードを読み取り可能な携帯電話機で読み取りすることにより、その情報を利用することができる。
【００４０】
又、例えば、ＱＲコードにＷｅｂへのアクセス情報を含ませておけば、Ｗｅｂへのアクセス率も上がり、アンケート等の情報収集にも役立てることが可能となる。
（３）  又、本実施形態では、情報付与領域部６０の情報が付与されている面には、ニスコーティングによるエンボス加工が施されている。
【００４１】
この結果、情報付与領域部６０の情報が付与されている面にはエンボス加工が施されているため、さらに、パーツＡを含む情報の偽造防止に役立てることができる。
（４）  又、本実施形態では、情報付与領域部６０の情報には、パーツＡが、が引換券として使用できる旨の情報を含むようにしている。
【００４２】
この結果、パーツＡに印刷されている情報により、パーツＡを引換券として利用することができる。すなわち、たとえば、このクリアファイルをノベルティや、ＳＰ（セールスプロモーション）ツールとして使用された際に、このクリアファイルを手にした人は、パーツを引換券として利用することができる。又、パーツ自体は、コピー機では複製できないため、引換券の偽造を困難にすることができ、引換券の偽造防止に役立てることができる。
【００４３】
（５）  又、本実施形態では、パーツＡが粗品の引換券であるようにした。
この結果、パーツＡを粗品の引換券として利用することができる。
（６）  本実施形態では、表シート２０の腹側の辺ｂ上部には、内部に向かって突片４０の半径と同半径をなす半円形状のミシン目５０を切断容易部として形成した。この結果、本実施形態では、ミシン目５０により、パーツＡをクリアファイル１０から容易に分離することができる。
【００４４】
なお、切断容易部が、表シート２０の厚みよりも薄く形成された部位から形成されている場合には、同部位により、パーツＡをクリアファイル１０から容易に分離することができる。
【００４５】
（７）  又、本実施形態では、領域１００には、例えば、イベント会場であつかう商品の画像や、オリジナルデザイン等が印刷され、ＱＲコード６２が付与された情報付与領域部６０は、分離（すなわち、除去）される。この結果、本来、クリアファイルの領域１００には入れたくない、ＱＲコード６２を書類の抜き差し用の凹部７０を生かした形状の部分に入れることにより、クリアファイル自身のデザインに影響を及ぼさないようにすることができる。
【００４６】
（第２実施形態）
図２（ａ）、（ｂ）は、第２実施形態のクリアファイルの斜視図である。なお、第２実施形態をはじめとして以下に説明する実施形態については、第１実施形態と同一構成、又は相当する構成については同一符号を付して、異なる構成を中心にして説明する。
【００４７】
第２実施形態では、情報付与領域部６０の設けられている位置及び形状が第１実施形態の情報付与領域部６０と異なっている。すなわち、第２実施形態では、情報付与領域部６０は、表シート２０の上辺の右端側と腹側の辺ｂ上端間のコーナにおいて斜状にミシン目５０が形成され、情報付与領域部６０が三角形状をなすようにされている。そして、ミシン目５０にて、情報付与領域部６０（パーツＡ）が分離されるようになっている。情報付与領域部６０が分離された後は、コーナには切り欠き部７２が形成される。
【００４８】
又、本実施形態では、ＱＲコード６２以外に、情報として、情報付与領域部６０には、図示はしないが、この情報付与領域部６０がクーポン券である旨が印刷されている。
この結果、本実施形態では、パーツＡを利用する際は、イベント会場では、クーポン券として使用できることになる。
【００４９】
又、切り欠き部７２は、クリアファイル１０内に挟み込まれた書類を露出させることができるため、この書類の露出された部分を指等により操作すれば容易にクリアファイル１０から抜き出すことができる。すなわち、情報付与領域部６０を分離した状態であっても、クリアファイル１０の書類を差し込み保存するという本来の用途を損なうことがない。
【００５０】
（第３実施形態）
図３（ａ）、（ｂ）は、第３実施形態のクリアファイル１０の斜視図である。第３実施形態では、情報付与領域部６０が表シート２０の腹側の辺ｂにおいて、複数設けられているところが異なっている。なお、複数の数は２個に限定されるものではなく、３個以上でも良い。このように構成すれば、１つのクリアファイル１０から、複数の情報付与領域部６０（パーツＡ）を得ることができる。
【００５１】
又、本実施形態では、ＱＲコード６２以外に、情報として、情報付与領域部６０には、図示はしないが、この情報付与領域部６０が割引券である旨が印刷されている。この結果、本実施形態では、パーツＡを利用する際は、イベント会場では、商品を購入する際の割引券として使用できることになる。
【００５２】
（第４実施形態）
図４（ａ）、（ｂ）は、第４実施形態のクリアファイル１０の斜視図である。第４実施形態では、情報付与領域部６０が表シート２０及び裏シート３０の背側の辺ａにおいて、表シート２０及び裏シート３０にミシン目５０（なお、裏シート３０側のミシン目は説明の便宜上、図示されていない）が設けられ、情報付与領域部６０が分離可能にされているところが異なっている。なお、情報付与領域部６０の個数は、１個に限定されるものではなく、複数個設けてもよい。
【００５３】
なお、本実施形態では、パーツＡを分離してた際に、表シート２０及び裏シート３０にそれぞれ凹部７０が形成されることになる。
又、本実施形態では、ＱＲコード６２以外に、情報として、情報付与領域部６０には、図示はしないが、この情報付与領域部６０が整理券である旨が印刷されている。この結果、本実施形態では、パーツＡを利用する際は、イベント会場では、イベント会場に入る際の整理券として使用できることになる。
【００５４】
なお、図４においては、表シート２０の腹側の辺ｂには、凹部７０とは別に、従来構成の凹部８０が予め形成されている。
なお、本考案の実施形態は以下のように変更してもよい。
【００５５】
○  前記各実施形態のクリアファイルでは、隣り合う２辺が開口するように設けられているが、一辺のみ開口するように設けられていてもよい。例えば、前記各実施形態において、背側と反対側の腹側を連結して、上辺（すなわち、１辺）のみが開口する袋状に形成されたクリアファイルに具体化してもよい。この場合、上辺や、左右の側片の少なくともいずれかに対して、情報付与領域部６０を設けるものとする。
【００５６】
○  第１〜３実施形態では、パーツＡを円形としたが、形状は、円形に限定されるものではなく、四角形、楕円形、多角形等であってもよい。
○  前記各実施形態では、情報付与領域部６０を分離することによって、凹部７０や、切り欠き部７２を形成したが、表シート２０や裏シート３０の内部領域において、ミシン目をリング状に形成して、情報付与領域部６０を区画し、情報付与領域部６０を分離した際に、透孔を形成するようにしてもよい。この情報付与領域部６０には、二次元コードや、イベントに関する情報を印刷するものとする。
【図面の簡単な説明】
【００５７】
【図１】（ａ）、（ｂ）は第１実施形態のクリアファイル１０の斜視図。
【図２】（ａ）、（ｂ）は第２実施形態のクリアファイル１０の斜視図。
【図３】（ａ）、（ｂ）は第３実施形態のクリアファイル１０の斜視図。
【図４】（ａ）、（ｂ）は第４実施形態のクリアファイル１０の斜視図。
【符号の説明】
【００５８】
１０…クリアファイル、
２０…表シート、３０…裏シート、４０…突片、
５０…ミシン目（切断容易部）、６０…情報付与領域部、６２…ＱＲコード（二次元コード）、Ａ…パーツ。
【図１】
0003133903.tif 000003
【図２】
0003133903.tif 000004
【図３】
0003133903.tif 000005
【図４】
0003133903.tif 000006